Podtech/llm-jp-corpus-v4-ja_patent huggingface dataset:
【手続補正書】
【提出日】平成18年10月6日(2006.10.6)
【手続補正１】
【補正対象書類名】特許請求の範囲
【補正対象項目名】全文
【補正方法】変更
【補正の内容】
【特許請求の範囲】
【請求項１】
入口部を備えた重力供給式液体噴霧デバイス（１１）及び液体供給組立品の組合せであって、前記液体供給組立品は、
第１端（１４）および第２端（１５）を有する側壁（１３）、前記側壁（１３）の第２端（１５）を横切って延在する底壁（１６）、並びに内部に空洞を画定する内面（１９）を有し、前記側壁（１３）の前記第１端（１４）が前記空洞への開口を画定する、硬質材料からなる容器（１２）と、
前記容器（１２）の前記内面（１９）と形状が一致する外面、内部に空洞を画定する内面、および前記側壁（１３）の前記第１端（１４）に沿って形成され該空洞への開口を画定する環状へり（２２）を有し、前記容器（１２）の空洞内に配置される可撓性ライナ（２０）と、
前記液体噴霧デバイス（１１）の入口部と係合する貫通開口（４６）を備えた中央部分（４４）、前記可撓性ライナ（２０）内に係合し前記容器（１２）の前記第１端（１４）に隣接する周辺部（５０）を含む横部分（４８）、および前記可撓性ライナ（２０）を前記周辺部（５０）の周りで密封するための手段を有し、前記容器（１２）および前記可撓性ライナ（２０）を前記液体噴霧デバイス（１１）の上方に配置するためのアダプタ組立品（４０、５４）と、
前記可撓性ライナ（２０）の外面と前記容器（１２）の前記内面（１９）との間に加圧空気を供給するために、前記容器（１２）に接続された空気供給組立品（９０）と、
を備える、
重力供給式液体噴霧デバイスおよび液体供給組立品の組合せ。
【請求項２】
重力供給式液体噴霧デバイス（１１）に液体を供給するための方法であって、
第１端（１４）および第２端（１５）を有する側壁（１３）、前記側壁（１３）の前記第２端（１５）を横切って延在する底壁（１６）、並びに内部に空洞を画定する内面（１９）を備え、前記側壁（１３）の前記第１端（１４）が前記空洞への開口を画定する、硬質材料からなる容器（１２）を用意する工程と、
前記容器（１２）の前記内面（１９）と形状が一致する外面、内部に空洞を画定する内面、および前記外面が前記容器（１２）の内面（１９）に沿って配置されているときに前記側壁（１３）の前記第１端（１４）に沿って定置され前記空洞への開口を画定する環状へり（２２）を備えた可撓性ライナ（２０）を用意する工程と、
前記可撓性ライナ（２０）を前記容器（１２）の空洞内に定置する工程と、
液体を前記ライナ（２０）の空洞に注入する工程と、
前記液体噴霧デバイス（１１）の入口部と係合する貫通開口（４６）を備えた中央部分（４４）、前記可撓性ライナ（２０）内に係合し前記容器（１２）の前記第１端（１４）に隣接するように構成された周辺部（５０）を含む横部分（４８）、および前記可撓性ライナ（２０）を前記周辺部（５０）の周りに密封するための手段を有するアダプタ組立品（４０、５４）を用意する工程と、
前記アダプタ組立品（４０、５４）を前記液体噴霧デバイス（１１）の入口部と係合させる工程と、
前記アダプタ組立品（４０、５４）の前記周辺部（５０）を前記可撓性ライナ（２０）内に係合させ前記容器（１２）の前記第１端（１４）に隣接させる工程と、
前記可撓性ライナ（２０）を前記アダプタ組立品（４０、５４）の前記周辺部（５０）の周りで密封する工程と、
前記容器（１２）および前記可撓性ライナ（２０）を前記液体噴霧デバイス（１１）の上方に配置する工程と、
空気を大気圧より高い圧力で前記可撓性ライナ（２０）の外面と前記容器（１２）の前記内面（１９）との間に供給する工程と、
を含む方法。
【手続補正２】
【補正対象書類名】明細書
【補正対象項目名】００１５
【補正方法】変更
【補正の内容】
【００１５】
液体供給組立品１０は硬質で視覚的に透明な高分子材料の容器１２を含む（例えば、透明なポリプロピレンから射出成形されて、約０．０４７インチすなわち１．２ｍｍ厚の壁を有する）。容器１２は、上端（第１端）１４および底端（第２端）１５を有する略円筒形の側壁１３と、側壁１３の底端１５を横切って延在する底壁１６と、を備える。底壁１６は中央円形貫通開口１７を有し、この周りに環状隆起１８が延在する。側壁１３の上端１４は、その内面１９によって画定される容器１２の空洞への開口を画定する。
【手続補正書】
【提出日】平成18年10月13日(2006.10.13)
【手続補正１】
【補正対象書類名】特許請求の範囲
【補正対象項目名】全文
【補正方法】変更
【補正の内容】
【特許請求の範囲】
【請求項１】
下記の式
【化１】
2006503082.tif 000001
(式中、Arはアリールまたはヘテロアリールであり、それらのそれぞれは場合によっては1-3個の置換基によって置換されている)
を有する化合物、または薬学上許容可能なその塩。
【請求項２】
Arがアリールまたはピリジニルである、請求項1に記載の化合物。
【請求項３】
Arがフェニルである、請求項1に記載の化合物。
【請求項４】
Arがハロ、場合によってはハロで置換されたC1-C6-ヒドロカルビル、場合によってはハロで置換されたC1-C6-ヒドロカルビルオキシからなる群から選択される1-3個の置換基で置換されている、請求項1に記載の化合物。
【請求項５】
Arが下記の
【化２】
2006503082.tif 000002
の1つから選択される、請求項1に記載の化合物。
【請求項６】
下式
【化３】
2006503082.tif 000003
(式中、Xは-N(R1)-、-O-、または-S-であるか、またはXは窒素を含むヘテロシクリルであり、但し、窒素は隣接カルボニルに共有結合し且つ場合によっては1-3個の置換基で置換されており、
RおよびR1は独立して-H、または 場合によっては置換されたa) C1-C6-ヒドロカルビルまたはb) R2-L-であり、但し、R2はアリールまたはヘテロアリールであり、LはCO-C6-ヒドロカルビル-L1-CO-C6-ヒドロカルビルであり、L1は共有結合、-O-、-S-、または-NH-である)
を有する化合物、または薬学上許容可能なその塩。
【請求項７】
Xが-NH-、-O-、モルホリン-4-イル、ピペリジン-1-イル、ピペラジン-1-イル、またはピロリジン-1-イルである、請求項6に記載の化合物。
【請求項８】
Xが-N(R1)-であり、但し、R1は場合によっては置換メチルまたはエチルである、請求項6に記載の化合物。
【請求項９】
Xが-N(R1)-であり、但し、R1は シアノエチルまたはピリジニルメチルである、請求項6に記載の化合物。
【請求項１０】
Xが-N(R1)-であり、RがR2-L-であり、但し、R2がフェニル、ピリジニル、インジル、またはインドリルであり、Lが共有結合、メチル、エチル、またはオキシエチルである、請求項6に記載の化合物。
【請求項１１】
R-X-の組合せが下記の
【化４】
2006503082.tif 000004
から選択される、請求項6に記載の化合物。
【請求項１２】
下式
【化５】
2006503082.tif 000005
(式中、Yは-N(R4)-、-O-、-S-、-N(R4)SO2-、-SO2-N(R4)-、-SO2-、-N(R4)-C(O)-、-C(O)-N(R4)-、-NHC(O)NH-、-N(R4)C(O)O-、-OC(O)N(R4)-、または共有結合であり、
R1、R2、およびR3は独立して-Hであるか、またはRa-C0-C6-ヒドロカルビルであって、但し、Raは-Hであるか、またはRaはアリールまたはヘテロアリールであり、それらのそれぞれは、場合によっては1-3個の置換基で置換されており、
R4は-H、-C(O)-Rb、-C(O)O-Rb、-C(O)NH-Rb、またはRc-CO-C6-ヒドロカルビルであり、
但し、
Rbは-Hまたは-C1-C6-ヒドロカルビルであり、
Rcは-H、またはアリールまたはヘテロアリールであり、それらのそれぞれは場合によっては1-3個の置換基で置換されている)
の化合物、または薬学上許容可能なその塩。
【請求項１３】
R2およびR3が両方とも-Hである、請求項12に記載の化合物。
【請求項１４】
Yが-NH-、-SO2-NH-、または-N(R4)-であり、但し、R4は-C(O)O-C1-C6-ヒドロカルビルである、請求項12に記載の化合物。
【請求項１５】
R1がアリール、ベンゾチアゾリル、ピリミジニル、トリアゾリル、ベンゾジオキソレニルまたはピリジニルであって、それらのそれぞれが場合によっては 1-3個の置換基で置換されている、請求項12に記載の化合物。
【請求項１６】
R1がC1-C6-ヒドロカルビル、C1-C6-ヒドロカルビルオキシ、ハロ、メチルチオ、およびアセチルから独立して選択された1-3個の置換基で置換されている、請求項15に記載の化合物。
【請求項１７】
R1-Yが下記の
【化６】
2006503082.tif 000006
から選択される、請求項12に記載の化合物。
【請求項１８】
式
【化７】
2006503082.tif 000007
(式中、Ar1が場合によっては-NO2、CH3O-、およびモルホリニル(例えば、モルホリン-4-イル)から独立して選択される1-3個の置換基で置換されているアリールまたはヘテロアリールである)
の化合物、または薬学上許容可能なその塩。
【請求項１９】
Ar1が、場合によっては-NO2、CH3O-、およびモルホリニル(例えば、モルホリン-4-イル)から独立して選択される1-3個の置換基で置換されているアリールである、請求項18に記載の化合物。
【請求項２０】
Ar1が、場合によっては-NO2、CH3O-、およびモルホリニル(例えば、モルホリン-4-イル)から独立して選択される1-3個の置換基で置換されているフェニルである、請求項18に記載の化合物。
【請求項２１】
下式
【化８】
2006503082.tif 000008
から選択される、請求項18に記載の化合物。
【請求項２２】
請求項1-21のいずれか一項に記載の化合物、および薬学上許容可能なキャリヤー、賦形剤、または希釈剤を含んでなる、組成物。
【請求項２３】
細胞のヒストンデアセチラーゼを阻害する方法であって、ヒストンデアセチラーゼの阻害が所望な細胞を請求項1-21のいずれか一項に記載のヒストンデアセチラーゼの阻害剤と接触させることを含んでなる、方法。
【請求項２４】
細胞増殖性疾患または疾病にかかっている哺乳類を請求項22に記載の組成物の治療上有効量で治療する方法。
【請求項２５】
哺乳類がヒトである、請求項24に記載の方法。
【手続補正書】
【提出日】平成18年10月13日(2006.10.13)
【手続補正１】
【補正対象書類名】特許請求の範囲
【補正対象項目名】全文
【補正方法】変更
【補正の内容】
【特許請求の範囲】
【請求項１】
βターンヘアピン構造を提示するための環状ペプチド骨格であって、アミノ酸配列Ｃ１-Ａ１-Ａ２-(Ａ３)ｎ-Ａ４-Ａ５-Ｃ２（配列番号１）
（ここで、
Ｃ１とＣ２がシステインであり；
Ａ１、Ａ２、Ａ３、Ａ４及びＡ５が天然に生じるＬ−アミノ酸であり；
骨格のＮ'末端がアミノ保護基によって保護されていてもよく；
骨格のＣ'末端がカルボキシ保護基によって保護されていてもよく；
Ａ１とＡ５がアミノ酸Ｗ、Ｙ、Ｆ、Ｈ、Ｉ、Ｖ及びＴからなる群から選択され；
Ａ２とＡ４がアミノ酸Ｗ、Ｙ、Ｆ、Ｌ、Ｍ、Ｉ、及びＶからなる群から選択され；
Ａ３が任意の天然に生じるＬ−アミノ酸であり、ｎが３、４、５、６、７、８、９、１０、１１、又は１２の整数であり；
Ｃ１とＣ２がジスルフィド結合を形成して、環状ペプチドを形成する）
を含む環状ペプチド骨格。
【請求項２】
Ａ１又はＡ５が、アミノ酸残基のβ炭素に二つの非水素置換基を有するβ分岐残基である、請求項１に記載の環状ペプチド骨格。
【請求項３】
Ａ１又はＡ５がＴである、請求項１に記載の環状ペプチド骨格。
【請求項４】
Ａ１又はＡ５がアミノ酸Ｗ、Ｆ、Ｈ又はＹである、請求項１に記載の環状ペプチド骨格。
【請求項５】
Ａ１がＨであり、Ａ５がＶである、請求項１に記載の環状ペプチド骨格。
【請求項６】
Ａ２又はＡ４がアミノ酸Ｗ、Ｆ、又はＹである、請求項１に記載の環状ペプチド骨格。
【請求項７】
Ａ２とＡ４がＷである、請求項６に記載の環状ペプチド骨格。
【請求項８】
Ａ２とＡ４の双方がＷである、請求項７に記載の環状ペプチド骨格。
【請求項９】
ｎが少なくとも４である、請求項１ないし８の何れか一項に記載の環状ペプチド骨格。
【請求項１０】
ｎが１０以下である、請求項９に記載の環状ペプチド骨格。
【請求項１１】
ｎが４である、請求項９に記載の環状ペプチド骨格。
【請求項１２】
(Ａ３)４がＥＧＮＫ、ＥＮＧＫ、ＱＧＳＦ又はＶＷＱＬである、請求項１ないし１１の何れか一項に記載の環状ペプチド骨格。
【請求項１３】
Ａ１がＴ又はＨであり、Ａ２がＷ又はＬであり、Ａ４がＷ又はＬであり、Ａ５がＴ又はＶである、請求項１に記載の環状ペプチド骨格。
【請求項１４】
Ａ１が、ＨとＶからなる群から選択され、Ａ５が、Ｖ、Ｈ及びＩからなる群から選択される、請求項１に記載の環状ペプチド骨格。
【請求項１５】
(Ａ３)ｎがＤＬＬＶＲＨである、請求項１ないし１４の何れか一項に記載の環状ペプチド骨格。
【請求項１６】
アミノ酸配列がＣＨＷＤＬＬＶＲＨＷＶＣ（配列番号３３）である、請求項１５に記載の環状ペプチド骨格。
【請求項１７】
アミノ酸配列がＣＴＷＥＧＮＫＬＴＣ（配列番号２）である、請求項１３に記載の環状ペプチド骨格。
【請求項１８】
アミノ酸配列がＣＨＷＥＧＮＫＬＶＣ（配列番号３０）である、請求項１３に記載の環状ペプチド骨格。
【請求項１９】
βターンヘアピン構造を提示するための環状ペプチド骨格であって、アミノ酸配列Ｃ１-Ａ１-Ａ２-(Ａ３)ｎ-Ａ４-Ａ５-Ｃ２（配列番号１）
（ここで、
Ｃ１とＣ２がシステインであり；
Ａ１、Ａ２、Ａ３、Ａ４及びＡ５が天然に生じるＬ−アミノ酸であり；
Ａ１とＡ５がアミノ酸Ｗ、Ｙ、Ｆ、Ｈ、Ｉ、Ｖ及びＴからなる群から選択され；
Ａ２がアミノ酸Ｗ、Ｙ、Ｆ、Ｌ、Ｍ、Ｉ、又はＶであり；
Ａ３が任意の天然に生じるＬ−アミノ酸であり、ｎが３、４、５、６、７、８、９、１０、１１、又は１２の整数であり；
Ａ４がアミノ酸Ｗ、Ｌ、Ｙ、Ｆ、Ｍ、Ｉ、又はＶであり；
Ｃ１とＣ２がジスルフィド結合を形成して、環状ペプチドを形成する）
を含んでなり、該環状ペプチドがＢＡＦＦに結合する環状ペプチド骨格。
【請求項２０】
Ａ１又はＡ５が、Ｖ、Ｉ又はＴである、請求項１９に記載の環状ペプチド骨格。
【請求項２１】
Ａ１又はＡ５がＴである、請求項１９に記載の環状ペプチド骨格。
【請求項２２】
Ａ１又はＡ５がアミノ酸Ｗ、Ｆ、Ｈ又はＹである、請求項１９に記載の環状ペプチド骨格。
【請求項２３】
Ａ１がＨであり、Ａ５がＶである、請求項１９に記載の環状ペプチド骨格。
【請求項２４】
Ａ２とＡ４がＷである、請求項１９に記載の環状ペプチド骨格。
【請求項２５】
ｎが少なくとも４である、請求項１９に記載の環状ペプチド骨格。
【請求項２６】
ｎが１０以下である、請求項２５に記載の環状ペプチド骨格。
【請求項２７】
ｎが６である、請求項２６に記載の環状ペプチド骨格。
【請求項２８】
Ａ１がＴ又はＨであり、Ａ２がＷであり、Ａ４がＷ又はＬであり、Ａ５がＴ又はＶである、請求項１９に記載の環状ペプチド骨格。
【請求項２９】
(Ａ３)ｎがＤＬＬＶＲＨである、請求項１９に記載の環状ペプチド骨格。
【請求項３０】
アミノ酸配列がＣＨＷＤＬＬＶＲＨＷＶＣ（配列番号３３）である、請求項２９に記載の環状ペプチド骨格。
【請求項３１】
ペプチドのＮ末端、ペプチドのＣ末端、又はこれらの両方に１ないし５０アミノ酸をさらに含んでなる、請求項１９に記載の環状ペプチド骨格。
【請求項３２】
ａ）少なくとも一の請求項１に記載のペプチドとＢＡＦＦ又はその断片とを接触させ；
ｂ）ＢＡＦＦに結合するペプチドを選択する
ことを含む、ＢＡＦＦに結合可能なペプチドの同定方法。
【手続補正書】
【提出日】平成18年9月15日(2006.9.15)
【手続補正１】
【補正対象書類名】特許請求の範囲
【補正対象項目名】全文
【補正方法】変更
【補正の内容】
【特許請求の範囲】
【請求項１】
拒食症又は過食症を治療するための薬物の製造における、身体に吸収可能な任意の適切な形での９５％純粋エイコサペンタエン酸（ＥＰＡ）の使用。
【請求項２】
前記ＥＰＡは、天然のＥＰＡ含有油状物由来である、請求項１に記載の使用。
【請求項３】
前記ＥＰＡは、遊離酸、適切な塩、モノ、ジ、又はトリグリセリド、リン脂質、アミド、エステル又は生物学的に適合性を有する任意の他の誘導体の形である、請求項１に記載の使用。
【請求項４】
前記ＥＰＡは、トリグリセリド又はエチルエステルの形である、請求項１に記載の使用。
【請求項５】
前記ＥＰＡは、ドコサヘキサエン酸及びリノール酸を総計で５％未満、かつ個別には２％未満の及び含有量である、請求項１〜４のいずれかに記載の使用。
【請求項６】
前記ＥＰＡは、エチルエステル形である、請求項５に記載の使用。
【請求項７】
前記ＥＰＡは、適切な医薬投薬形態における経口投与用であり、用量が５０ｍｇ〜２０ｇ／日の範囲が好ましく、さらに好ましくは１００ｍｇ〜５ｇ／日の範囲、そして非常に好ましくは３００ｍｇ〜３ｇ／日の範囲の投与量で投与される、請求項１〜６のいずれかに記載の使用。
【請求項８】
前記ＥＰＡは、適切な医薬投薬形態において非経口、筋肉内又は静脈内投与用である、請求項１〜６のいずれかに記載の使用。
【請求項９】
前記ＥＰＡは、拒食症（ＡＮ）又は関連障害を持つ患者用の栄養補給剤への添加に適しており、該補給剤は、経口摂取され、又は経腸チューブによって投与され、又は経静脈的に投与される、請求項１〜６のいずれかに記載の使用。
【手続補正書】
【提出日】平成18年8月30日(2006.8.30)
【手続補正１】
【補正対象書類名】特許請求の範囲
【補正対象項目名】全文
【補正方法】変更
【補正の内容】
【特許請求の範囲】
【請求項１】
創傷を処置する医薬組成物の製造のためのラクトフェリンの使用。
【請求項２】
前記ラクトフェリンが哺乳類ラクトフェリン、組換えラクトフェリン、および／またはN末端ラクトフェリン変異体である、請求項１に記載の使用。
【請求項３】
前記N末端ラクトフェリン変異体が組換え体である、および／または少なくともN末端グリシン残基を欠いている、請求項２に記載の使用。
【請求項４】
前記N末端ラクトフェリン変異体がラクトフェリン組成物の少なくとも1％〜少なくとも50％を占める、請求項２または３に記載の使用。
【請求項５】
前記医薬組成物が局所的、経口的または非経口的に投与される、請求項１〜４のいずれかに記載の使用。
【請求項６】
前記医薬組成物と一緒に制酸薬を投与される、請求項１〜５のいずれかに記載の使用。
【請求項７】
前記医薬組成物と組み合わせて標準的な創傷治癒治療を施される、請求項１〜６のいずれかに記載の使用。
【請求項８】
前記医薬組成物と組み合わせて金属キレート剤が使用される、請求項１〜７のいずれかに記載の使用。
【請求項９】
前記金属キレート剤がエチレンジアミン四酢酸（EDTA）、[エチレンビス(オキシエチレンニトリロ)]四酢酸（EGTA）、1,2-ビス(2-アミノフェノキシ)エタン-N,N,N',N'-四酢酸（BAPTA）、ヒドロキシエチレントリアミン二酢酸（HEDTA）またはその任意の塩である、請求項８に記載の使用。
【請求項１０】
前記組成物が、約0.0001％〜約30％のラクトフェリン濃度を持つ局所ゲル剤、溶液剤、カプセル剤または錠剤である、請求項１〜９のいずれかに記載の使用。
【請求項１１】
前記局所ゲル剤が、ビニルポリマー、多糖ポリマー、グリコサミノグリカンポリマー、タンパク質ポリマー、ポリオキシエチレン-ポリオキシプロピレンポリマー、およびアクリルアミドポリマーからなる群より選択されるポリマーから構成される、請求項１０に記載の使用。
【請求項１２】
前記ポリマー濃度が約0.5％（w/w）〜約3.0％（w/w）であり、ポリマーが約50,000〜約13,000,000の分子量を持つ、請求項１０または１１に記載の使用。
【請求項１３】
治療有効量のラクトフェリン組成物と、室温で約1〜約12,000,000cPの範囲の粘度を持つ医薬的に許容できるポリマーとを含む医薬組成物。
【請求項１４】
前記ラクトフェリンが哺乳類ラクトフェリン、組換えラクトフェリン、および／またはN末端ラクトフェリン変異体である、請求項１３に記載の組成物。
【請求項１５】
前記N末端ラクトフェリン変異体がラクトフェリン組成物の少なくとも1％〜少なくとも50％を占める、請求項１４に記載の組成物。
【請求項１６】
ポリマーがビニルポリマー、多糖ポリマー、グリコサミノグリカンポリマー、タンパク質ポリマー、ポリオキシエチレン-ポリオキシプロピレンポリマーおよびアクリルアミドポリマーからなる群より選択される、請求項１３〜１５のいずれかに記載の組成物。
【請求項１７】
ポリオキシエチレン-ポリオキシプロピレンポリマーがポリオキシエチレン-ポリオキシプロピレンブロックコポリマーである、請求項１６に記載の組成物。
【請求項１８】
ラクトフェリン濃度が約0.0001％（w/w）〜約30％（w/w）の範囲内にある、請求項１３〜１７のいずれかに記載の組成物。
【請求項１９】
ポリマー濃度が約0.5％（w/w）〜約3.0％（w/w）であり、ポリマーが約500〜約13,000,000の平均分子量を持つ、請求項１３〜１８のいずれかに記載の組成物。
【請求項２０】
創傷を処置する医薬組成物の製造のための請求項１３〜１９のいずれかに記載の組成物の使用。
【請求項２１】
創傷が、皮膚創傷、骨創傷、内部創傷、胃腸創傷、口腔創傷、眼科創傷、および手術創傷からなる群より選択される、請求項１〜１２または２０のいずれかに記載の使用。
【請求項２２】
創傷が慢性創傷または急性創傷である、請求項２１に記載の使用。
【請求項２３】
慢性創傷が、糖尿病性潰瘍、静脈うっ血性潰瘍、圧迫潰瘍、および感染潰瘍からなる群より選択される、または、急性創傷が、第1度熱傷、中間層熱傷、全層熱傷、裂傷、弾創、および感染創傷からなる群より選択される、請求項２２に記載の使用。
【請求項２４】
対象の局所免疫系を補うまたは強化することにより創傷を処置する医薬組成物の製造のためのラクトフェリンの使用。
【請求項２５】
対象の全身免疫系または粘膜免疫系を補うまたは強化することにより創傷を処置する医薬組成物の製造のためのラクトフェリンの使用。
【請求項２６】
経口投与されたラクトフェリンと組み合わせて創傷を処置する医薬組成物の製造のための制酸薬の使用。
【請求項２７】
創傷を処置において同時、分離、または連続使用されるラクトフェリンおよび制酸薬を含む製品。
【請求項２８】
N末端ラクトフェリン変異体を含むラクトフェリン組成物であって、前記N末端ラクトフェリン変異体が組換え体である、および／または少なくともN末端グリシン残基を欠いている、ラクトフェリン組成物。
【請求項２９】
N末端ラクトフェリン変異体を含むラクトフェリン組成物であって、前記N末端ラクトフェリン変異体がラクトフェリン組成物の少なくとも1％〜少なくとも50％を占める、ラクトフェリン組成物。
【手続補正書】
【提出日】平成18年6月6日(2006.6.6)
【手続補正１】
【補正対象書類名】特許請求の範囲
【補正対象項目名】請求項１９
【補正方法】変更
【補正の内容】
【請求項１９】
請求項１または２に記載の前記化合物または請求項８から１３のいずれか１項に記載の前記医薬組成物を投与する、腫瘍性疾患、ウイルス性疾患および炎症性疾患のうちの少なくとも１つの疾患を治療する治療剤。
【手続補正２】
【補正対象書類名】特許請求の範囲
【補正対象項目名】請求項２０
【補正方法】変更
【補正の内容】
【請求項２０】
前記医薬組成物は、医薬的に許容される希釈剤もしくは担体物質と共に、持続性薬物の形態で、または前駆体として投与される請求項１９に記載の治療剤。
【手続補正３】
【補正対象書類名】特許請求の範囲
【補正対象項目名】請求項２１
【補正方法】変更
【補正の内容】
【請求項２１】
前記ウイルス性疾患はＨＩＶ−１感染症であり、前記化合物を、０．３〜３．０μｇ／ｍｌの生体内濃度範囲で投与する、請求項１９または２０に記載の治療剤。
【手続補正４】
【補正対象書類名】特許請求の範囲
【補正対象項目名】請求項２２
【補正方法】変更
【補正の内容】
【請求項２２】
炎症を治療し、前記化合物を２μｇ／ｍｌの生体内濃度で投与する、請求項１９または２０に記載の治療剤。
【手続補正５】
【補正対象書類名】特許請求の範囲
【補正対象項目名】請求項２３
【補正方法】変更
【補正の内容】
【請求項２３】
浮腫形成を治療し、前記化合物を２０μｇの量で投与する請求項１９から２２のいずれか１項に記載の治療剤。
【手続補正書】
【提出日】平成18年5月11日(2006.5.11)
【手続補正１】
【補正対象書類名】特許請求の範囲
【補正対象項目名】全文
【補正方法】変更
【補正の内容】
【特許請求の範囲】
【請求項１】
ａ)ガラス状構造を形成可能な少なくとも１種の実質的に非吸湿性の糖アルコールを含むガラス状マトリックス；
b)該ガラス状マトリックスの所望の口内溶解速度を得るのに十分な量の水溶性ゲル化ガム；および
c)活性剤
を含む、該活性剤の経粘膜的な経口投与に有用な経口固形製剤。
【請求項２】
前記活性剤が、薬剤、風邪薬、咳止め薬、喉薬、ビタミン、亜鉛、メントール、ユーカリ、ヘキシルレゾルシノール、カフェイン、歯用ホワイトニング剤、歯垢防止剤、口臭清涼剤およびニコチンからなる群より選択される１種以上のものである、請求項１に記載の製剤。
【請求項３】
前記活性剤がニコチン活性剤である、請求項２に記載の製剤。
【請求項４】
前記水溶性ゲル化ガムが、キサンタンガム、グアーガム、アラビアゴム、アルギン酸塩およびカラギーナンからなる群より選択される１種以上のものである、請求項１に記載の製剤。
【請求項５】
前記ガムがキサンタンガムである、請求項４に記載の製剤。
【請求項６】
前記溶解速度が、前記ニコチンの少なくとも50％を胃内に取り込まれる前に口腔粘膜を介して送達させるのに十分な速度である、請求項３に記載の製剤。
【請求項７】
前記ニコチンの少なくとも75％が口腔粘膜を介して送達される、請求項６に記載の製剤。
【請求項８】
前記ガムが、前記製剤を約10〜15分間にわたって口内で溶解させるのに十分な量で存在する、請求項１に記載の製剤。
【請求項９】
前記ガムが、約0.5〜約5.0重量％の量で存在する、請求項１に記載の製剤。
【請求項１０】
前記ガムが、約1.0〜約4.0重量％の量で存在する、請求項９に記載の製剤。
【請求項１１】
前記ガムが、約1.0〜約3.5重量％の量で存在する、請求項１０に記載の製剤。
【請求項１２】
前記糖アルコールが、約99：1〜約1：99の重量比で1,6-GPS(6-O-α-D-グルコピラノシル-D-ソルビトール)および1,1-GPM(1-O-α-D-グルコピラノシル-D-マンニトール)の混合物を含む、請求項１に記載の製剤。
【請求項１３】
製剤の重量に基づき少なくとも約50％の糖アルコールを含む、請求項１に記載の製剤。
【請求項１４】
製剤の重量に基づき少なくとも約70％の糖アルコール混合物を含む、請求項１３に記載の製剤。
【請求項１５】
製剤の重量に基づき少なくとも約85％の糖アルコール混合物を含む、請求項１４に記載の製剤。
【請求項１６】
前記ニコチン活性剤が、ニコチン、ニコチン誘導体、およびそれらの組合せから選択される、請求項１に記載の製剤。
【請求項１７】
前記ニコチン活性剤が、ニコチン油、重酒石酸ニコチン、ニコチン・ポラクリレックス(nicotine polacrilex)、およびそれらの組合せから選択される、請求項１６に記載の製剤。
【請求項１８】
前記ニコチン活性剤を投薬量単位当たり約0.5 mg〜約5 mg含む、請求項１に記載の製剤。
【請求項１９】
前記糖アルコールが、約70:30〜約30:70の重量比で1,6-GPSおよび1,1-GPMの混合物を含む、請求項１２に記載の製剤。
【請求項２０】
前記糖アルコールが、約60:40〜約40:60の重量比で1,6-GPSおよび1,1-GPMの混合物を含む、請求項１２に記載の製剤。
【請求項２１】
前記糖アルコール混合物がイソマルト(ISOMALT)である、請求項１２に記載の製剤。
【請求項２２】
アルカリ性の口内唾液pHを得るのに有効な量の緩衝剤をさらに含む、請求項１に記載の製剤。
【請求項２３】
前記緩衝剤が、炭酸ナトリウム、重炭酸ナトリウム、炭酸カルシウム、炭酸カリウム、重炭酸カリウム、二塩基性リン酸ナトリウム、三塩基性リン酸ナトリウム、二塩基性リン酸カリウム、三塩基性リン酸カリウム、およびそれらの組合せから選択される、請求項２２に記載の製剤。
【請求項２４】
前記緩衝剤が、炭酸ナトリウム、炭酸カリウムおよびそれらの組合せから選択される、請求項２３に記載の製剤。
【請求項２５】
前記ガラス状マトリックスが、製剤の重量に基づき約１％〜約20％のショ糖、ソルビトールおよびキシリトールからなる群より選択される１つ以上の化合物をさらに含む、請求項１に記載の製剤。
【請求項２６】
急速なニコチン渇望緩和を得るのに有効な感覚信号をもたらす非薬理学的成分をさらに含む、請求項３に記載の製剤。
【請求項２７】
ロゼンジの形態である、請求項３に記載の製剤。
【請求項２８】
ニコチン活性剤の経粘膜的な経口投与に有用な経口固形製剤であって、製剤の経口投与の開始後に少なくとも約6 ng/mlのニコチン活性剤血漿濃度をもたらす、製剤。
【請求項２９】
ニコチン活性剤の経粘膜的な経口投与に有用な経口固形製剤であって、製剤の経口投与の開始後に約6 ng/ml〜約35 ng/mlの持続したニコチン活性剤血漿濃度をもたらす、製剤。
【手続補正書】
【提出日】平成18年10月16日(2006.10.16)
【手続補正１】
【補正対象書類名】特許請求の範囲
【補正対象項目名】全文
【補正方法】変更
【補正の内容】
【特許請求の範囲】
【請求項１】
（ｉ）アシクロビルまたは薬学的に適用可能なそのエステル、（ｉｉ）テトラサイクリン、および（ｉｉｉ）メトロニダゾールの薬学的な有効量と、薬学的に適用可能な単独または複数のキャリアとを組み合わせたものから本質的になる薬剤組成物。
【請求項２】
前記テトラサイクリンがテトラサイクリン、ミノサイクリン塩酸塩、およびドキシサイクリンからなる群から選択される請求項１に記載の組成物。
【請求項３】
前記テトラサイクリンがミノサイクリン塩酸塩である請求項２に記載の組成物。
【請求項４】
アシクロビルからなる請求項１〜３のいずれか一項に記載の組成物。
【請求項５】
バラシクロビル塩酸塩からなる請求項１〜３のいずれか一項に記載の組成物。
【請求項６】
経口投与に適した形態の請求項１〜５のいずれか一項に記載の組成物。
【請求項７】
注射に適した形態の請求項１〜５のいずれか一項に記載の組成物。
【請求項８】
（ｉ）アシクロビルまたは薬学的に適用可能なそのエステル、（ｉｉ）テトラサイクリン、および（ｉｉｉ）メトロニダゾールから本質的になる薬剤の組み合わせであって、各薬剤は薬学的に適用可能な単独または複数のキャリアと組み合わされる、薬剤の組み合わせ。
【請求項９】
前記テトラサイクリンがテトラサイクリン、ミノサイクリン塩酸塩、およびドキシサイクリンからなる群から選択される請求項８に記載の薬剤の組み合わせ。
【請求項１０】
前記テトラサイクリンがミノサイクリン塩酸塩である請求項９に記載の薬剤の組み合わせ。
【請求項１１】
アシクロビルからなる請求項８〜１０のいずれか一項に記載の薬剤の組み合わせ。
【請求項１２】
バラシクロビル塩酸塩からなる請求項８〜１０のいずれか一項に記載の薬剤の組み合わせ。
【請求項１３】
薬剤の各々が経口投与に適した形態である請求項８〜１２のいずれか一項に記載の薬剤の組み合わせ。
【請求項１４】
薬剤の各々が個別の単位用量の形態である請求項８〜１３のいずれか一項に記載の薬剤の組み合わせ。
【請求項１５】
アシクロビル、ミノサイクリン塩酸塩、およびメトロニダゾールから本質的になる請求項１４に記載の薬剤の組み合わせであって、アシクロビルが約２００ｍｇ〜４ｇの範囲の用量で与えられ、ミノサイクリン塩酸塩が約５０ｍｇ〜２００ｍｇの範囲の用量で与えられ、メトロニダゾールが約１００ｍｇ〜１，０００ｍｇの範囲の単位用量で与えられる請求項１４に記載の薬剤の組み合わせ。
【請求項１６】
アシクロビルが１個以上の４００ｍｇ単位用量の形態で与えられ、ミノサイクリン塩酸塩が１個以上の１００ｍｇ単位用量の形態で与えられ、メトロニダゾールが１個以上の２５０ｍｇ単位用量の形態で与えられる請求項１５に記載の薬剤の組み合わせ。
【請求項１７】
バラシクロビル塩酸塩、ミノサイクリン塩酸塩、およびメトロニダゾールから本質的になる請求項１４に記載の薬剤の組み合わせであって、バラシクロビル塩酸塩が約５０ｍｇ〜４ｇの範囲の用量で与えられ、ミノサイクリン塩酸塩が約５０ｍｇ〜２００ｍｇの範囲の用量で与えられ、メトロニダゾールが約１００ｍｇ〜１，０００ｍｇの範囲の用量で与えられる請求項１４に記載の薬剤の組み合わせ。
【請求項１８】
バラシクロビル塩酸塩が１個以上の４００ｍｇ単位用量の形態で与えられ、ミノサイクリン塩酸塩が１個以上の１００ｍｇ単位用量の形態で与えられ、メトロニダゾールが１個以上の２５０ｍｇ単位用量の形態で与えられる請求項１７に記載の薬剤の組み合わせ。
【請求項１９】
（ｉ）アシクロビルまたは薬学的に適用可能なそのエステル、（ｉｉ）テトラサイクリン、および（ｉｉｉ）メトロニダゾールから本質的になる組み合わせと、薬学的に適用可能な単独または複数のキャリアとの、哺乳動物における反応性関節炎または滑液包炎の治療用薬剤の製造のための使用。
【請求項２０】
前記テトラサイクリンがミノサイクリン塩酸塩である請求項１９に記載の使用。
【請求項２１】
（ｉ）バラシクロビル塩酸塩、（ｉｉ）テトラサイクリン、および（ｉｉｉ）メトロニダゾールから本質的になる組み合わせと、薬学的に適用可能な単独または複数のキャリアとの、哺乳動物における反応性関節炎または滑液包炎の治療用薬剤の製造のための使用。
【請求項２２】
前記テトラサイクリンがミノサイクリン塩酸塩である請求項２１に記載の使用。
【請求項２３】
前記組み合わせが薬剤組成物である請求項１９〜２２のいずれか一項に記載の使用。
【請求項２４】
薬剤の前記組み合わせが個別の単位用量の形態の組み合わせである請求項１９〜２２のいずれか一項に記載の使用。
【請求項２５】
反応性関節炎または滑液包炎のある人間の１箇所以上の患部関節の痛みと硬直を緩和するのに有効な薬剤の製造のための、請求項１９〜２４のいずれか一項に記載の使用。
【請求項２６】
反応性関節炎または滑液包炎の治療用薬剤組成物の製造方法であって、
（ｉ）第１の薬剤であるアシクロビルまたは薬学的に適用可能なそのエステル、（ｉｉ）第２の薬剤であるテトラサイクリン、（ｉｉｉ）第３の薬剤であるメトロニダゾール、および（ｉｖ）薬学的に適用可能な単独または複数のキャリアの薬学的な有効量を組み合わせて、成分（ｉ）〜（ｉｖ）から本質的になる薬剤組成物を得ることを含む製造方法。
【請求項２７】
前記第１の薬剤がアシクロビルである請求項２６に記載の方法。
【請求項２８】
前記第１の薬剤がバラシクロビル塩酸塩である請求項２６に記載の方法。
【請求項２９】
前記第２の薬剤がテトラサイクリン、ミノサイクリン塩酸塩、およびドキシサイクリンからなる群から選択される請求項２６に記載の方法。
【請求項３０】
前記第１の薬剤がアシクロビルであり、前記第２の薬剤がミノサイクリン塩酸塩である請求項２６に記載の方法。
【請求項３１】
前記第１の薬剤がバラシクロビル塩酸塩であり、前記第２の薬剤がミノサイクリン塩酸塩である請求項２６に記載の方法。
【手続補正書】
【提出日】平成18年9月25日(2006.9.25)
【手続補正１】
【補正対象書類名】特許請求の範囲
【補正対象項目名】全文
【補正方法】変更
【補正の内容】
【特許請求の範囲】
【請求項１】
N-ブロモ-2-ピロリドンを含む水溶液。
【請求項２】
前記水溶液中で前記N-ブロモ-2-ピロリドンが少なくとも１日安定である、請求項１に記載の水溶液。
【請求項３】
次亜臭素酸をさらに含む、請求項１または２に記載の水溶液。
【請求項４】
N-ブロモ-2-ピロリドンの製造方法であって、次亜臭素酸を2-ピロリドンと反応させることを含む方法。
【請求項５】
前記次亜臭素酸および前記2-ピロリドンが1：1〜1：2の重量比である、請求項４に記載の方法。
【請求項６】
少なくとも１種の酸化剤を少なくとも１種の臭化物源と反応させることによって前記次亜臭素酸を形成させる、請求項４または５に記載の方法。
【請求項７】
前記酸化剤および前記臭化物源が1：4〜1：2の重量比を有する、請求項６に記載の方法。
【請求項８】
前記酸化剤が次亜塩素酸ナトリウムである、請求項６または７に記載の方法。
【請求項９】
前記臭化物源が臭化ナトリウムである、請求項６〜８のいずれか１に記載の方法。
【請求項１０】
前記臭化物源を溶媒に溶解することをさらに含む、請求項６〜９のいずれか１に記載の方法。
【請求項１１】
前記酸化剤が2重量％〜30重量％の濃度を有し、かつ臭化物源が20重量％〜60重量％の濃度を有する、請求項６〜１０のいずれか１に記載の方法。
【請求項１２】
前記酸化剤対水の重量比が1：7.5〜1：3.5で、酸化剤が水に希釈されている、請求項６〜１１のいずれか１に記載の方法。
【請求項１３】
前記臭化物源対水の重量比が1：5〜3：5で、臭化物源が水に希釈されている、請求項６〜１２のいずれか１に記載の方法。
【請求項１４】
前記2-ピロリドン対水の重量比が100：1〜1：100で2-ピロリドンを水に希釈することにより、2-ピロリドンが調製されている、請求項４〜１３のいずれか１に記載の方法。
【請求項１５】
前記方法を温度100℃またはそれ未満で行う、請求項４〜１４のいずれか１に記載の方法。
【請求項１６】
請求項４〜１５のいずれか１に記載の方法を含む請求項１〜３のいずれか１に記載の水溶液の製造方法。
【請求項１７】
有機物要求性（organic demand）を有する水性系に対し、単一ライン供給による殺生物プログラムを提供する方法であって、請求項１〜３のいずれか１に記載の水溶液を前記水性系に導入することを含む方法。
【請求項１８】
高い塩素要求性を有する水性系において生物の増殖を阻害する方法であって、請求項１〜３のいずれか１に記載の水溶液を前記水性系に導入することを含む方法。
【請求項１９】
プロセス水を汚染または着色しない無色透明の液状濃縮物を提供する方法であって、請求項１〜３のいずれか１に記載の水溶液を前記プロセス水と接触させることを含む方法。
【請求項２０】
硬質表面を衛生的にし、殺菌消毒する方法であって、請求項１〜３のいずれか１に記載の水溶液を前記硬質表面と接触させることを含む方法。
【請求項２１】
高い塩素要求性を有する水性系において生物付着を防止する方法であって、請求項１〜３のいずれか１に記載の水溶液を前記水性系に導入することを含む方法。
【請求項２２】
請求項４〜１６のいずれか１に記載の方法を含む方法において得られる組成物。
【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
少なくとも１つのヒドロキシアルキル澱粉がアレルゲンに共有結合した、ヒドロキシアルキル澱粉およびアレルゲンのコンジュゲートを含む減感作化のための医薬組成物。
【請求項２】
前記ヒドロキシアルキル澱粉が、直接的に、またはリンカーを介して前記アレルゲンにカップリングした請求項１に記載の医薬組成物。
【請求項３】
前記ヒドロキシアルキル澱粉が、ヒドロキシエチル澱粉、ヒドロキシプロピル澱粉またはヒドロキシブチル澱粉である請求項１または２に記載の医薬組成物。
【請求項４】
前記ヒドロキシエチル澱粉が、１〜３００ｋＤａの平均分子量、好ましくは５〜２００ｋＤａの平均分子量を有する請求項１〜３のいずれかに記載の医薬組成物。
【請求項５】
前記ヒドロキシエチル澱粉が、ヒドロキシエチル基に基づき、０．１〜０．８のモル置換度、および２〜２０の範囲のＣ2：Ｃ6置換比を有する請求項１〜４のいずれかに記載の医薬組成物。
【請求項６】
前記アレルゲンが、ポリペプチドまたはタンパク質よりなる群から選択される請求項１〜５のいずれかに記載の医薬組成物。
【請求項７】
前記アレルゲンが、糖タンパク質である請求項１〜６のいずれかに記載の医薬組成物。
【請求項８】
前記ヒドロキシアルキル澱粉が、前記ポリペプチド鎖に、または前記糖タンパク質の糖鎖の一つ以上にカップリングした請求項１〜７のいずれかに記載の医薬組成物。
【請求項９】
前記臨床的徴候が観察されたＩｇＥ介在性感作が検出されるアレルギー罹患者の減感作化のための請求項１〜８のいずれかに記載の医薬組成物。
【請求項１０】
花粉、ダニ、哺乳動物毛髪（唾液）、真菌、昆虫、食物および天然ゴム／ラテックスに対するアレルギーの治療のための請求項１〜９のいずれかに記載の医薬組成物。
【請求項１１】
喘息患者、花粉症患者、および即時型のアレルゲンに対する他のタイプの臨床的に関連する反応を示す患者の治療で使用される請求項１〜１０のいずれかに記載の医薬組成物。
【請求項１２】
投与が皮下、粘膜、経口、口腔、または舌下で行われる請求項１〜１１のいずれかに記載の医薬組成物。
【請求項１３】
風媒アレルゲンに対して流行前にまたは１年中行われる免疫療法のための請求項１〜１１のいずれかに記載の医薬組成物。
【請求項１４】
急激方法または超急激方法にて昆虫に対するヒトアレルギーに対して使用される免疫療法のための請求項１〜１３のいずれかに記載の医薬組成物。
【手続補正書】
【提出日】平成18年8月29日(2006.8.29)
【手続補正１】
【補正対象書類名】特許請求の範囲
【補正対象項目名】全文
【補正方法】変更
【補正の内容】
【特許請求の範囲】
【請求項１】
粒子介在送達装置からの送達に好適な粒子において、表面に核酸を沈殿させた不活性金属キャリア粒子、式(Arg)x（ここでxは2〜10である）のアルギニンのホモポリマー又はその生理的に許容可能な塩、及び金属イオンキレート剤を含む粒子。
【請求項２】
前記キャリア粒子が金、タングステン、白金及びイリジウム粒子から選択される、請求項１に記載の粒子。
【請求項３】
前記キャリア粒子が直径約1〜3μmを有する金粒子である、請求項２に記載の粒子。
【請求項４】
前記核酸が抗原又は治療用ポリペプチドをコードする、前記請求項のいずれかに記載の粒子。
【請求項５】
前記抗原がウィルス抗原、細菌抗原及び真菌抗原から選択される、請求項４に記載の粒子。
【請求項６】
前記抗原がヒト乳頭腫ウイルス抗原、HIV抗原、HSV2若しくはHSV1抗原、インフルエンザウイルス(A、B及びC型)の抗原、又はB型肝炎ウイルス抗原である、請求項５に記載の粒子。
【請求項７】
前記核酸がDNAである、前記請求項のいずれかに記載の粒子。
【請求項８】
前記アルギニンのホモポリマーが(Arg)4又は(Arg)6である、前記請求項のいずれかに記載の粒子。
【請求項９】
前記金属イオンキレート剤が、エチレンジアミン四酢酸(EDTA)、ジエチレントリアミン五酢酸(DTPA)、ニトリロ三酢酸(NTA)、イノシトール六リン酸、トリポリリン酸塩、ポリリン酸、コハク酸ナトリウム、コハク酸カリウム、コハク酸リチウム、リンゴ酸ナトリウム、リンゴ酸カリウム、リンゴ酸リチウム、デスフェラール及びエチレンジアミン-ジ(o-ヒドロキシ-フェニル酢酸)(EDDHA)から選択される、前記請求項のいずれかに記載の粒子。
【請求項１０】
１以上の二糖類及び／又は三糖類が前記キャリア粒子の表面に存在する、前記請求項のいずれかに記載の粒子。
【請求項１１】
前記１以上の糖が、トレハロース、ショ糖、乳糖及びラフィノースから選択される、請求項１０に記載の粒子。
【請求項１２】
酢酸カリウム、塩化カルシウム、塩化リチウム、酢酸ナトリウム、硝酸マグネシウム、クエン酸ナトリウム、リン酸ナトリウム及び塩化マグネシウムから選択される１以上の塩が前記キャリア粒子の表面に存在する、前記請求項のいずれかに記載の粒子。
【請求項１３】
酸化防止剤が前記キャリア粒子の表面に存在する、前記請求項のいずれかに記載の粒子。
【請求項１４】
前記酸化防止剤が、エタノール、ビタミンA、ビタミンC及びビタミンEから選択される、請求項１３に記載の粒子。
【請求項１５】
EDTA及びショ糖の存在下に金キャリア粒子上にDNAを沈殿させることで得られた、請求項１に記載の粒子。
【請求項１６】
粒子介在送達装置用の投与容器において、前記請求項のいずれかに記載された粒子を含む容器。
【請求項１７】
請求項１〜１５のいずれかに記載の粒子を装填した粒子介在送達装置。
【請求項１８】
無針注射器である請求項１７に記載の粒子介在送達装置。
【請求項１９】
粒子介在送達装置からの送達に好適な粒子の製造方法において、
(i)式(Arg)x（ここでxは2〜10である）のアルギニンのホモポリマー又はその生理的に許容可能な塩及び金属イオンキレート剤の存在下に、不活性金属キャリア粒子上に核酸を沈殿させる段階；並びに
(ii)得られた粒子を回収する段階
を含む、前記方法。
【請求項２０】
段階(i)で、前記キャリア粒子及び前記核酸を含む混合物に前記アルギニンのホモポリマーを加える、請求項１９に記載の方法。
【手続補正書】
【提出日】平成18年9月22日(2006.9.22)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2006503068.tif 000001
（式中、
Ａは、
直鎖または分枝鎖Ｃ4-20アルキレン、
直鎖または分枝鎖Ｃ4-20アルケニレン、
直鎖または分枝鎖Ｃ4-20アルキニレンおよび
−Ｚ−Ｙ−Ｗ−Ｙ−Ｚ−
からなる群から選択された二価連結基であり、
各Ｚは、
直鎖または分枝鎖Ｃ2-20アルキレン、
直鎖または分枝鎖Ｃ4-20アルケニレンおよび
直鎖または分枝鎖Ｃ4-20アルキニレン
からなる群から独立して選択され、
それらのいずれもが−Ｏ−、−Ｎ（Ｒ5）−または−Ｓ（Ｏ）2−によって任意に割り込まれてもよく、
各Ｙは、
結合、
−Ｎ（Ｒ5）Ｃ（Ｏ）−、
−Ｃ（Ｏ）Ｎ（Ｒ5）−、
−Ｎ（Ｒ5）Ｃ（Ｏ）Ｎ（Ｒ5）−、
−Ｎ（Ｒ5）Ｓ（Ｏ）2−、
−Ｓ（Ｏ）2Ｎ（Ｒ5）−、
−ＯＣ（Ｏ）Ｏ−、
−ＯＣ（Ｏ）−、
−Ｃ（Ｏ）Ｏ−、
−Ｎ（Ｒ5）Ｃ（Ｏ）Ｏ−および
−ＯＣ（Ｏ）Ｎ（Ｒ5）−
からなる群から独立して選択され、
Ｗは、
直鎖または分枝鎖Ｃ2-20アルキレン、
直鎖または分枝鎖Ｃ2-20アルケニレン、
直鎖または分枝鎖Ｃ4-20アルキニレン、
直鎖または分枝鎖パーフルオロＣ2-20アルキレン、
Ｃ1-4アルキレン−Ｏ−Ｃ1-4アルキレン、
−Ｃ（Ｏ）−、
−Ｓ（Ｏ）2−、
−ＯＣ（Ｏ）Ｏ−、
−Ｎ（Ｒ5）Ｃ（Ｏ）Ｎ（Ｒ5）−；
【化２】
2006503068.tif 000002
１，５−ナフチレン、
２，６−ピリジニレン、
１，２−シクロヘキシレン、
１，３−シクロヘキシレン、
１，４−シクロヘキシレン、
トランス−１，４−シクロヘキシレン、
【化３】
2006503068.tif 000003
および
トランス−５−ノルボルネン−２，３−ジイル
からなる群から選択され、ここで、ｎは０〜４であり、各Ｒは、Ｃ1-4アルキル、Ｃ1-4アルコキシおよびハロゲンからなる群から独立して選択され、Ｑは、結合、−ＣＨ2−および−Ｏ−からなる群から選択され、
Ｒ2は、
−水素、
−アルキル、
−アルケニル、
−アリール、
−置換アリール、
−ヘテロアリール、
−置換ヘテロアリール、
−アルキル−Ｘ−アルキル、
−アルキル−Ｘ−アリール、
−アルキル−Ｘ−アルケニルおよび
−ＯＨ、
−ハロゲン、
−Ｎ（Ｒ6）2、
−Ｃ（Ｏ）−Ｎ（Ｒ6）2、
−Ｃ（Ｓ）−Ｎ（Ｒ6）2、
−Ｓ（Ｏ）2−Ｎ（Ｒ6）2、
−Ｎ（Ｒ6）−Ｃ（Ｏ）−Ｃ1-10アルキル、
−Ｎ（Ｒ6）−Ｃ（Ｓ）−Ｃ1-10アルキル、
−Ｎ（Ｒ6）−Ｓ（Ｏ）2−Ｃ1-10アルキル、
−Ｃ（Ｏ）−Ｃ1-10アルキル、
−Ｃ（Ｏ）−Ｏ−Ｃ1-10アルキル、
−Ｎ3、
−アリール、
−置換アリール、
−ヘテロアリール、
−置換ヘテロアリール、
−ヘテロシクリル、
−置換ヘテロシクリル、
−Ｃ（Ｏ）−アリール、
−Ｃ（Ｏ）−（置換アリール）、
−Ｃ（Ｏ）−ヘテロアリールおよび
−Ｃ（Ｏ）−（置換ヘテロアリール）
からなる群から選択された１個以上の置換基によって置換された−アルキルまたは−アルケニル
からなる群から選択され、
Ｒ3およびＲ4は、
−水素、
−ハロゲン、
−アルキル、
−アルケニル、
−Ｘ−アルキルおよび
−Ｎ（Ｒ6）2
からなる群からそれぞれ独立して選択されるか、または
合一した時、Ｒ3およびＲ4は、置換されていないか、または
−ハロゲン、
−アルキル、
−アルケニル、
−Ｘ−アルキルおよび
−Ｎ（Ｒ6）2
からなる群から選択された１個以上の置換基によって置換されている縮合アリール環または縮合ヘテロアリール環を形成するか、または
合一した時、Ｒ3およびＲ4は、
０〜２個のヘテロ原子を含むとともに置換されていないか、または
−ハロゲン、
−アルキル、
−アルケニル、
−Ｘ−アルキルおよび
−Ｎ（Ｒ6）2
からなる群から選択された１個以上の置換基によって置換されている縮合５〜７員飽和環を形成し、
各Ｒ5は、
ハロゲン、
Ｃ1-6アルキル、
Ｃ3-7シクロアルキルおよび
ベンジル
からなる群から独立して選択されるか、または
Ｙが−Ｎ（Ｒ5）Ｃ（Ｏ）−、−Ｃ（Ｏ）Ｎ（Ｒ5）−、−Ｎ（Ｒ5）Ｃ（Ｏ）Ｎ（Ｒ5）−、−Ｎ（Ｒ5）Ｓ（Ｏ）2−、−Ｓ（Ｏ2）Ｎ（Ｒ5）−、−Ｎ（Ｒ5）Ｃ（Ｏ）Ｏ−または−ＯＣ（Ｏ）Ｎ（Ｒ5）−である時、Ｎ（Ｒ5）基の窒素はＺに結合し、それから、Ｒ5はＺと合一して、構造
【化４】
2006503068.tif 000004
を有する環を形成することが可能であり、
各Ｒ6は独立して水素またはＣ1−10アルキルであり、
Ｒ7はＣ3-8アルキレンであり、
Ｘは−Ｏ−または−Ｓ−であり、
但し、Ｗが−Ｃ（Ｏ）−、−Ｓ（Ｏ）2−、−ＯＣ（Ｏ）Ｏ−または−Ｎ（Ｒ5）Ｃ（Ｏ）Ｎ（Ｒ5）−である場合、各Ｙは結合であることを条件とする）
の化合物または前記化合物の薬学的に許容できる塩。
【請求項２】
治療有効量の請求項１に記載の化合物または塩および薬学的に許容できるキャリアを含む薬剤組成物。
【手続補正書】
【提出日】平成18年8月18日(2006.8.18)
【手続補正１】
【補正対象書類名】特許請求の範囲
【補正対象項目名】全文
【補正方法】変更
【補正の内容】
【特許請求の範囲】
【請求項１】
治療における使用のための銅キレート化剤とコハク酸の酸付加塩。
【請求項２】
銅キレート化剤とコハク酸の酸付加塩、及び医薬的に許容できる担体を含んで成る医薬組成物。
【請求項３】
糖尿病、心筋症、急性冠症候群、心筋梗塞、又は心筋炎の治療のための請求項２に記載の医薬組成物。
【請求項４】
前記糖尿病が、１型糖尿病、又は２型糖尿病である、請求項３に記載の医薬組成物。
【請求項５】
前記心筋症が、高血圧性心筋症、糖尿病性高血圧性心筋症、耐糖能障害を伴う高血圧性心筋症、空腹時血糖異常を伴う高血圧性心筋症、耐糖能障害を伴う虚血性心筋症、空腹時血糖異常を伴う虚血性心筋症、グルコース代謝異常を伴わない高血圧性心筋症、グルコース代謝異常を伴わない虚血性心筋症、冠動脈疾患を伴う虚血性心筋症、突発性心筋症、代謝性心筋症、アルコール性心筋症、薬によって誘発された心筋症又は抗血圧性心筋症である、請求項３に記載の医薬組成物。
【請求項６】
前記急性冠症候群が、糖尿病性急性冠症候群、耐糖能障害を伴う急性冠症候群、空腹時血糖異常を伴う急性冠症候群、いずれのグルコース代謝異常も伴わない急性冠症候群である、請求項３に記載の医薬組成物。
【請求項７】
前記銅キレート化剤が、トリエチレンテトラミン、トリエチレンテトラミン誘導体、トリエチレンテトラミン類似体、トリエチレンテトラミン代謝産物、又はトリエチレンテトラミンプロドラッグである、請求項２〜６のいずれか一項に記載の医薬組成物。
【請求項８】
１．２ｍｇ〜１２００ｍｇのトリエチレンテトラミン塩の量を含む製剤である、請求項７に記載の医薬組成物。
【請求項９】
前記トリエチレンテトラミン塩の含量が５０−１００ｍｇ〜４００ｍｇである、請求項８に記載の医薬組成物。
【請求項１０】
前記トリエチレンテトラミン塩の含量が１２０ｍｇ〜２８０ｍｇである、請求項８に記載の医薬組成物。
【請求項１１】
前記トリエチレンテトラミン塩の含量が１６０ｍｇ〜２４０ｍｇである、請求項８に記載の医薬組成物。
【請求項１２】
前記トリエチレンテトラミン塩の含量が１７０ｍｇ〜２３０ｍｇである、請求項８に記載の医薬組成物。
【請求項１３】
前記トリエチレンテトラミン塩の含量が１８０ｍｇ〜２２０ｍｇである、請求項８に記載の医薬組成物。
【請求項１４】
前記トリエチレンテトラミン塩の含量が１９０ｍｇ〜２１０ｍｇである、請求項８に記載の医薬組成物。
【請求項１５】
前記銅キレート化剤とコハク酸の塩が経口投与に適当な形態における医薬組成物である、請求項２〜１４のいずれか一項に記載の医薬組成物。
【請求項１６】
前記経口投与に適当な形態が、カプセル、錠剤、又はロゼンジである、請求項１５に記載の医薬組成物。
【請求項１７】
前記錠剤が、腸溶コート錠剤、又は層状の錠剤である、請求項１６に記載の医薬組成物。
【請求項１８】
前記経口投与に適当な形態が長期放出調製物である、請求項１５に記載の医薬組成物。
【請求項１９】
前記長期放出調製物が、遅延放出調製物、徐放調製物、制御放出調製物、又は持続放出調製物である、請求項１８に記載の医薬組成物。
【請求項２０】
前記医薬組成物が、頬側投与、舌下投与、経皮投与、経粘膜投与、又は座薬としての投与に適当な形態である、請求項１５に記載の医薬組成物。
【請求項２１】
更に、経口投与後、腸から全身循環への移行を増強するために、少なくとも１つのデリバリー剤を含んで成る、請求項１５〜２０のいずれか一項に記載の医薬組成物。